(57)【要約】      （修正有）【課題】鎖本体の動きに追従して捩れなどが生じても装着感を損ねることなく、外観意匠性が良好な装身チェーン用を提供する。【解決手段】鎖本体２と、鎖本体２の長手方向の一端に止具１を有する。一方側連結部材４と、鎖本体２の他端側に連結する他方側連結部材５とを備えており、一方側連結部材４は、棒状をなしており、長手方向の任意の箇所には係止部９を有しており、他方側連結部材５は、収容部Ｓを有する筒状をなすとともに、一方側連結部材４の挿入孔６と挿通孔７を有し、挿入孔６は、側部の周壁を貫通し、挿通孔７は、長手側端縁の周壁を貫通しており、一方側連結部材４を他方側連結部材５の挿入孔６から収容部Ｓに入れたときに、一方側連結部材４の一部と鎖本体２の他端側が挿通孔７から抜け出るとともに、係止部９が被係止部１１に係止し、一方側連結部材４と他方側連結部材５が同軸方向に軸回転自在に連結する。【選択図】図１
2015223430.tif 000002
【特許請求の範囲】
【請求項１】
鎖本体と、鎖本体の長手方向の一端に連結して無端状にする止具を有する装身チェーンであって、
止具は、鎖本体の一端側に連結する一方側連結部材と、鎖本体の他端側に連結する他方側連結部材とを備えており、一方側連結部材は、棒状をなしており、長手方向の任意の箇所には係止部を有しており、他方側連結部材は、収容部を有する筒状をなすとともに、周壁の一部に一方側連結部材の挿入孔と挿通孔を有し、挿入孔と挿通孔は、周壁に連続して設けてあり、挿入孔は、側部の周壁を貫通し、挿通孔は、長手側端縁の周壁を貫通しており、挿入孔と挿通孔の境界には、孔幅を狭める状態で被係止部が設けてあり、一方側連結部材を他方側連結部材の挿入孔から収容部に入れたときに、一方側連結部材の一部と鎖本体の他端側が挿通孔から抜け出るとともに、係止部が被係止部に係止し、一方側連結部材と他方側連結部材が同軸方向に軸回転自在に連結することを特徴とする装身チェーン。
【請求項２】
一方側連結部材と他方側連結部材は、鎖本体の外径とほぼ同一の大きさに形成してあることを特徴とする請求項１記載の装身チェーン。
【請求項３】
他方側連結部材の収容部には、収容部に挿入された一方側連結部材を被係止部側に付勢する付勢部材が設けてあることを特徴とする請求項１又は２記載の装身チェーン。
【発明の詳細な説明】
【技術分野】
【０００１】
本発明は、コマと呼ばれるリング状の鎖構成部材を多数連結して鎖本体を無端状にする装身チェーンに関するものである。
【背景技術】
【０００２】
装身チェーンは、一般に、貴金属類（金、プラチナ、銀等）の原料を加工してコマと呼ばれるリング状をなす鎖構成部材を多数連結した鎖本体と、鎖本体の長手方向の一方側端縁と他方側端縁とを連結して無端状にする止具とから構成するものである。そして、止具の一般的なものとしては、実開昭４９−１４０３９１号公報に開示されるような鎖本体のリング状のコマに連結できる引輪、あるいは、実用新案登録第３１１４６３３号公報に開示されるような鎖本体を挿通して弾性部材で保持できるスライド金具などが使われていた。
【先行技術文献】
【特許文献】
【０００３】
【特許文献１】実開昭４９−１４０３９１号公報
【特許文献２】実用新案登録第３１１４６３３号公報
【発明の概要】
【発明が解決しようとする課題】
【０００４】
上記のような装身チェーンにあっては、上記のような鎖構成部材のリングに取り付ける引輪、さらには、鎖構成部材の外周を保持するスライド式のものが、鎖本体の鎖構成部材に挿通、あるいは、弾性部材などで鎖構成部材の外周を保持するかたちで連結する止具を有するものであった。ところが、鎖本体が捩じれたときに、一定以上の捩れ力が生じると、鎖構成部材と止具の連結箇所に大きな負荷がかかり、鎖本体が蛇行して装着感を損ね、さらには、連結箇所の破損などの要因となる。さらに、引輪やスライド金具などは、鎖構成部材よりも大きく形成されており、しかも、外観意匠が鎖構成部材と大きく異なるものが多く、装飾性を重視する装身チェーンにあっては、止具を取り付けることで美観を損ねられる問題点があった。
【０００５】
本発明は、上記課題を鑑みてなされたものであり、鎖本体の動きに追従して捩れなどが生じても装着感を損ねることなく、しかも、外観意匠性が良好な装身チェーンを提供することにある。
【課題を解決するための手段】
【０００６】
本発明のうち請求項１記載の発明は、鎖本体と、鎖本体の長手方向の一端に連結して無端状にする止具を有する装身チェーンであって、止具は、鎖本体の一端側に連結する一方側連結部材と、鎖本体の他端側に連結する他方側連結部材とを備えており、一方側連結部材は、棒状をなしており、長手方向の任意の箇所には係止部を有しており、他方側連結部材は、収容部を有する筒状をなすとともに、周壁の一部に一方側連結部材の挿入孔と挿通孔を有し、挿入孔と挿通孔は、周壁に連続して設けてあり、挿入孔は、側部の周壁を貫通し、挿通孔は、長手側端縁の周壁を貫通しており、挿入孔と挿通孔の境界には、孔幅を狭める状態で被係止部が設けてあり、一方側連結部材を他方側連結部材の挿入孔から収容部に入れたときに、一方側連結部材の一部と鎖本体の他端側が挿通孔から抜け出るとともに、係止部が被係止部に係止し、一方側連結部材と他方側連結部材が同軸方向に軸回転自在に連結することを特徴とする。
【０００７】
本発明のうち請求項２記載の発明は、一方側連結部材と他方側連結部材は、鎖本体の外径とほぼ同一の大きさに形成してあることを特徴とする。
【０００８】
本発明のうち請求項３記載の発明は、他方側連結部材の収容部には、収容部に挿入された一方側連結部材を被係止部側に付勢する付勢部材が設けてあることを特徴とする
【発明の効果】
【０００９】
本発明の請求項１記載によれば、本願の装身チェーンを装着したときに、鎖本体に対して捩じれるような力が働いたときには、一方側連結部材が他方側連結部材の収容部で軸回転する。これにより、鎖本体が捩れに応じて止具で軸回転するので、鎖本体や止具に捩れに伴う変形による過剰な負荷がかからない構造となる。さらに、一方側連結部材と他方側連結部材が供回りしないことから、鎖本体と止具に無理な力が加わらず、しかも、鎖本体が捩じれて長手方向に蛇行することがないので、使用者が装着時に不快さを感じることなく、装着感の高い装身チェーンを提供できる。さらに、一方側連結部材と他方側連結部材の連結を解除するときには、他方側連結部材に被係止部に係止している一方側連結部材の係止部をてこの要領で被係止部から外すことにより、一方側連結部材が他方側連結部材の挿入孔から外れ、装身チェーンの無端状態を容易に解除することができるので、使用者による装着、脱着のし易さが向上する。  
【００１０】
本発明の請求項２記載の発明によれば、一方側連結部材と他方側連結部材を連結したときに、外径をほぼ同一のサイズに形成した鎖本体と一方側連結部材、他方側連結部材のそれぞれがほぼ同一軸上に配置される。これにより、装身チェーンの外観意匠が直線状に連続的なものとなり、装飾性に重視を置く装身チェーンにとって付加価値の高い要素となる。
【００１１】
本発明の請求項３記載の発明によれば、一方側連結部材を他方側連結部材に連結したときに、付勢部材の付勢力で収容部にある一方側連結部材を他方側連結部材の被係止部側に押し込む。これにより、一方側連結部材の係止部と他方側連結部材の被係止部が引き寄せられて、互いに係止した状態を常に保持するので、強固な連結状態を維持することになる。
【図面の簡単な説明】
【００１２】
【図１】（ａ）（ｂ）（ｃ）は、本実施による装身チェーンの連結の手順を示す側面図である。
【図２】本実施による装身チェーンを構成する止具の一方側連結部材を示す（ａ）は、平面図であり、（ｂ）は、（ａ）中Ａ−Ａ線断面図であり、（ｃ）は、他方側連結部材に連結したときの縦断面図である。
【図３】本実施による装身チェーンを構成する止具の他方側連結部材を示す（ａ）は、平面図であり、（ｂ）は、（ａ）中Ｂ−Ｂ線断面図であり、（ｃ）は、（ａ）中Ｃ−Ｃ線断面図である。
【図４】本実施による装身チェーンの全体を示す正面図である。
【図５】（ａ）（ｂ）は、本発明の装身チェーンの他の実施形態を示す側面図であり、（ｃ）は、（ｂ）中Ｄ−Ｄ線断面図であり、（ｄ）は、（ｂ）中Ｅ−Ｅ線断面図である。
【発明を実施するための形態】
【００１３】
以下に、図面に基づいて本実施による装身チェーンについて説明する。
本実施による装身チェーンは、図４のように、鎖本体２と、止具１とから構成されている。鎖本体２は、コマとも呼ばれる喜平の鎖構成部材３を一続きに多数連ねて形成されるものである。そして、止具１は、図１（ａ）（ｂ）（ｃ）のように、一方側連結部材４と他方側連結部材５とか構成するものである。
【００１４】
一方側連結部材４は、図２（ａ）（ｂ）のように、細長い棒状をなす部材であり、棒状の長手方向の中間部がくびれ、両側に膨大状の係止部９を有するボーリングのピンのような形状をなしている。また、一方側連結部材４のくびれた部位Ｐは、後述で詳細を説明するが、一方側連結部材４が他方側連結部材５の収容部Ｓに挿入孔６から挿入されたときに、他方側連結部材５の挿通孔７から抜き出ることにより、図２（ｃ）のように、一方側連結部材４と他方側連結部材５をほぼ同一軸上に配置することができる。
【００１５】
他方側連結部材５は、図３（ａ）のように、細長く且つ周壁の内部に収容部Ｓを有する筒型をなしている。また、他方側連結部材５の周壁の一部は、長手方向に長い長孔状に切り欠かれており、前述のとおり、その切欠部分が一方側連結部材４を収容部Ｓに受け入れる挿入孔６となっている。さらに、挿入孔６は、図３（ｂ）（ｃ）のように、他方側連結部材５の長手方向の先端部まで連続して開口しており、この先端部まで連続する孔は、一方側連結部材４が収容部Ｓに収容されたときに、一方側連結部材４を通す挿通孔７となっている。また、挿入孔６と挿通孔７の境界の周壁が狭まって被係止部１１を形成している。
【００１６】
付勢部材８は、本実施ではコイルばねを使用しており、図３（ａ）（ｂ）（ｃ）のように、他方側連結部材５の収容部Ｓの鎖本体２との連結箇所側に配置してある。また、付勢部材８は、一方側連結部材４と連結されていないときには、他方側連結部材５の収容部Ｓで伸びた状態に収容されている。さらに、図１（ｃ）を参照すれば、一方側連結部材４が収容部Ｓに挿入されたときに、付勢部材８の付勢力に抗して挿入された一方側連結部材４の先端部によって押されて縮まり、一方側連結部材４に対しては付勢力が付与される。これにより、一方側連結部材４は、他方側連結部材５の収容部Ｓで付勢部材８の付勢力で位置決めがされ、さらに、付勢部材８の付勢力で押された一方側連結部材４の係止部９が他方側連結部材５の被係止部１１に係止する。このことから、一方側連結部材４と他方側連結部材５の連結状態が保たれるので、図４のように、鎖本体２が止具１を介して無端状態を維持できる。
【００１７】
また、上記の付勢部材８は、図１（ａ）（ｂ）（ｃ）を参照すれば、他方側連結部材５の収容部Ｓに配置してあるホルダー１２に取り付けてある。このホルダー１２は、他方側連結部材５の先端側に突出した付勢部材８であるコイルばねの中央の孔に通す突部１２ａを有しており、基端側には貫通孔１２ｂが設けてある。さらに、上記の貫通孔１２ｂは、他方側連結部材５の周壁に設けてある通し孔１３に通された鎖本体２の鎖構成部材３に連通させることで、他方側連結部材５と鎖本体２を連結するものである。
【００１８】
上記のように形成した装身チェーン用の止具１は、以下に示す作用、効果を奏することになる。
図１（ａ）（ｂ）（ｃ）を参照すれば、一方側連結部材４を他方側連結部材５に連結したときに、一方側連結部材４の膨大状に形成されている係止部９が他方側連結部材５の被係止部１１を跨ぎ、さらに、付勢部材８の付勢力で収容部Ｓにある一方側連結部材４を被係止部１１側に押し込むことにより、係止部９と被係止部１１が引き寄せられてしっかりと係止する。したがって、係止部９と被係止部１１の係止によって収容部Ｓでの一方側連結部材４の動きを拘束することから、一方側連結部材４が他方側連結部材５の収容部Ｓから軽い力では抜け落ちなくなる。
また、一方側連結部材４と他方側連結部材５を連結したときには、図１（ｂ）のように、鎖本体２と一方側連結部材４、他方側連結部材５のそれぞれがほぼ同一軸上に配置されることで、本実施による装身チェーンの外観意匠が直線状に連続的なものとなる。
さらに、本実施による装身チェーンを装着したときに、鎖本体２に対して捩じれるような力が働いたときには、止具１を構成する一方側連結部材４が他方側連結部材５の収容部Ｓで軸回転するので、連結した各鎖構成部材３間の連結箇所に加わる捩れ力を逃がし、鎖本体２や止具１に過剰な負荷がかからない構造となっている。さらに、一方側連結部材４と他方側連結部材５が供回りしないことから、鎖本体２と止具１に無理な力が加わらず、しかも、鎖本体２が捩じれて長手方向に蛇行することがないので、使用者が本実施による装身チェーンの装着時に不快さを感じることがない。また、一方側連結部材４と他方側連結部材５の連結を解除するときには、他方側連結部材５に被係止部１１に係止している一方側連結部材４の係止部９をてこの要領で被係止部１１から外すことにより、一方側連結部材４が他方側連結部材５の挿入孔６から外れ、本実施による装身チェーンの無端状態を容易に解除することができる。さらに、他方側連結部材５の収容部Ｓに収容された一方側連結部材４は、付勢部材８の付勢による押圧力のみで他方側連結部材５に保持されていることから、付勢部材８の押圧力を解除するだけで一方側連結部材４と他方側連結部材５の連結状態が解消されるので、破損や損傷をすることがない。
【００１９】
本発明の装身チェーンの他の実施形態として、図５（ａ）（ｂ）は、一方側連結部材４と他方側連結部材５との形状を変更したものである。一方側連結部材４は、先端部が膨大状になっているが、鎖本体２と連結する側は、径が細く形成してある。図５（ｃ）のように、他方側連結部材５は、周壁が面取り状に形成してあり、図５（ｃ）（ｄ）のように、収容部Ｓと挿入孔６及び挿通孔７については、上記の実施形態とほぼ同一の構造をなしている。
上記のように、止具１を形成したときに、他方側連結部材５の収容部Ｓに挿入孔６から一方側連結部材４が挿し込まれる。さらに、他方側連結部材５の収容部Ｓに先端部が挿入された一方側連結部材４は、径の細い係止部９を他方側連結部材５の被係止部１１に係止することにより、一方側連結部材４の径の細い部位は、鎖本体２とともに挿通孔７から抜け出すことになる。
【００２０】
本発明の装身チェーン用の止具１は、他方側連結部材５の周壁の外径を鎖本体２の外径がほぼ同一のサイズであれば、装身チェーンがほぼ直線状に連続した外観意匠を呈することになる。また、鎖本体２と一方側連結部材４、他方側連結部材５のそれぞれの外径がほぼ同じサイズであり、さらに、他方側連結部材５の収容部Ｓに一方側連結部材４を挿入できるものであれば、止具１を構成する一方側連結部材４と他方側連結部材５の外観意匠を限定するものではない。さらに、付勢部材８についても、上記実施形態ではコイルばねを用いているが、収容部Ｓに挿入された一方側連結部材４に対して付勢力を付与できるものであれば、板バネやゴム材などでもよく、特に手段を限定するものではない。
【符号の説明】
【００２１】
１  止具
２  鎖本体
３  鎖構成部材
４  一方側連結部材
５  他方側連結部材
６  挿入孔
７  挿通孔
８  付勢部材
９  係止部
１１  被係止部
１２  ホルダー
１２ａ  突部
１２ｂ  貫通孔
１３  通し孔
Ｐ  くびれた部位
Ｓ  収容部
【図１】
2015223430.tif 000003
【図２】
2015223430.tif 000004
【図３】
2015223430.tif 000005
【図４】
2015223430.tif 000006
【図５】
2015223430.tif 000007